(57)【特許請求の範囲】
【請求項１】
緩衝部を有する緩衝機構本体が、引き戸のスライド方向の後側に位置する後端上部に組み込まれ、緩衝機構本体の緩衝部との接触により引き戸のスライド移動を減速させ、停止させる緩衝機構受け具が、全閉位置となる引き戸の戸尻側にあって緩衝機構本体に対向する位置の鴨居に配設され、引き戸を閉める際に、全閉位置までスライド移動した引き戸の前記後端上部に組み込まれた緩衝機構本体の緩衝部が、前記緩衝機構受け具に接触し、引き戸のスライド移動が減速され、停止されることを特徴とする引き戸における緩衝機構の取付構造。
【請求項２】
緩衝機構受け具は、緩衝機構本体の緩衝部に接触可能な下方に突出する緩衝受け部を有し、引き戸上端部に引き戸の横幅全長にわたって下方切欠部が形成され、緩衝機構本体の緩衝部が下方切欠部内に収められ、緩衝機構受け具の緩衝受け部が引き戸上端部の下方切欠部内に進入可能とされていることを特徴とする請求項１に記載の引き戸における緩衝機構の取付構造。
【請求項３】
緩衝機構受け具は、引き戸の停止位置に配置される下方に突出するストッパーと、ストッパーに隣接し、引き戸のスライド方向の後方に配置された案内溝と、案内溝に隣接し、引き戸のスライド方向の後方に配置され、案内溝に近づくにつれ下方に突出する、緩衝受け部としてのスロープ部とを備え、緩衝機構本体では、緩衝機構受け具のスロープ部のスロープ面に接触可能なローラーを先端に備えた緩衝部としてのローラー軸が、下端部に設けられた枢軸を中心として前後方向に揺動自在に配設されるとともに、アブソーバーによって支持され、緩衝機構受け具のストッパーおよびスロープ部が引き戸上端部の下方切欠部内に進入可能とされていることを特徴とする請求項２に記載の引き戸における緩衝機構の取付構造。
【発明の詳細な説明】
【技術分野】
【０００１】
本発明は、引き戸をゆっくりと減速させ、スムーズに停止させる緩衝機構を組み込むための引き戸における緩衝機構の取付構造に関する。
【背景技術】
【０００２】
建物の開口を横方向にスライドして開閉する引き戸には、閉める際の勢いによっては戸先が開口枠に衝突し、衝撃音が発生するという問題があり、この問題を解消するために、ゴム、発泡樹脂などから形成された戸当りが戸先に設けられる。
【０００３】
しかしながら、戸当りは、引き戸の閉まる勢いを減衰させることができないため、引き戸が開口枠に当たって跳ね返り、締め切ることができない場合があるので、引き戸を停止位置付近でゆっくりと減速させ、スムーズに停止させる緩衝機構を引き戸に組み込むことが本出願人により提案されている（特許文献１）。
【０００４】
特許文献１に記載された緩衝機構は、図４に示したように、引き戸１側に配設される緩衝機構本体２と、建物の開口３の上端に取り付けられる鴨居４側に配設される緩衝機構受け具５とから構成される。
【０００５】
緩衝機構本体２は、図５＜ａ＞＜ｂ＞に示したように、先端にローラー６を備えたローラー軸７が、下端部に設けられた枢軸８を中心として前後方向に揺動自在に配設されるとともに、アブソーバー９によって支持されている。
【０００６】
緩衝機構受け具５は、図６＜ａ＞＜ｂ＞に示したように、引き戸１の停止位置に配置される下方に突出するストッパー１０と、ストッパー１０に隣接し、引き戸１のスライド方向の後方に配置された案内溝１１と、案内溝１１に隣接し、引き戸１のスライド方向の後方に配置され、案内溝１１に近づくにつれ下方に突出するスロープ部１２とを備えている。
【０００７】
このような緩衝機構は、図４に示したように、緩衝機構受け具５が、ストッパー１０が引き戸１の停止位置に配置されるように、鴨居４の終端部において、鴨居４に形成された引き戸１の上端部をガイドするレール溝などに配設され、緩衝機構本体２は、引き戸１の戸先側の上端部に配設される。引き戸１の戸先に位置する木口側の上端部が切り欠かれ、木口切欠部１３が形成され、ローラー６とともにローラー軸７は木口切欠部１３内に収められている。
【０００８】
引き戸１を閉める際には、引き戸１の全閉位置より手前側でローラー６が、スロープ部１２のスロープ面に接触し、引き戸１が閉まるにしたがいローラー６はスロープ面にともなわれて枢軸８を中心として前方に回動し、ローラー軸７は、図７＜ａ＞に示した最下位状態となる。この状態からさらに引き戸１が閉まると、ローラー６はスロープ部１２を乗り越え、ストッパー１０に接触した後、図７＜ｂ＞に示したように、ローラー軸７は、枢軸８を中心として後方に回動し、ローラー６は案内溝１１に嵌まり込み、最上位状態となる。そして、図７＜ｃ＞に示したように、ローラー軸７はさらに後方に回動し、この一連のローラー軸７の前後方向の揺動によって、図４に示した開口枠１４の間近において引き戸１が十分に減速され、引き戸１をスムーズに閉めることができる。
【０００９】
したがって、引き戸１は、勢いよく閉めても、全閉位置近くでゆっくりと減速され、スムーズに停止し、跳ね返りが生じることはない。当然、衝撃音も発生しない。
【特許文献１】特開２００７−８５１１３号公報
【発明の開示】
【発明が解決しようとする課題】
【００１０】
このように引き戸１をゆっくりと減速させてスムーズに閉めることのできる緩衝機構ではあるが、その後の検討により、次のような改善点が見出された。
【００１１】
図４に示したように、緩衝機構本体２は引き戸１の戸先側に配設され、これに対応して緩衝機構受け具５が鴨居４の終端部に配設されているため、ローラー６がスロープ部１２のスロープ面に接触したとき、引き戸１を閉める勢いなどによってはローラー６がスロープ部１２のスロープ面に衝突することがあり、その衝撃によってローラー６が跳ね返り、図８に示したように、引き戸１の戸先側が跳ね上がってしまう場合がある。このような引き戸１の戸先側の跳ね上がりに付随して、鴨居４や開口枠１４などおよび引き戸１自体に寸法の狂いがある場合、具体的には、開口枠１４の高さが高すぎたり、引き戸１の高さが低すぎたりしたなどの場合や、施工状態が悪い場合、具体的には、鴨居４がアーチ状に施工されるなどの場合には、引き戸１が鴨居４などから外れ、転倒する可能性がある。
【００１２】
本発明は、以上の通りの事情に鑑みてなされたものであり、引き戸に跳ね上がりが生じずに、確実に引き戸をゆっくりと減速させてスムーズに停止させることのできる引き戸における緩衝機構の取付構造を提供することを課題としている。
【課題を解決するための手段】
【００１３】
本発明は、上記の課題を解決するために、以下の特徴を有する。
【００１４】
第１の発明は、緩衝部を有する緩衝機構本体が、引き戸のスライド方向の後側に位置する後端上部に組み込まれ、緩衝機構本体の緩衝部との接触により引き戸のスライド移動を減速させ、停止させる緩衝機構受け具が、全閉位置となる引き戸の戸尻側にあって緩衝機構本体に対向する位置の鴨居に配設され、引き戸を閉める際に、全閉位置までスライド移動した引き戸の後端上部に組み込まれた緩衝機構本体の緩衝部が、緩衝機構受け具に接触し、引き戸のスライド移動が減速され、停止されることを特徴としている。
【００１５】
第２の発明は、第１の発明において、緩衝機構受け具は、緩衝機構本体の緩衝部に接触可能な下方に突出する緩衝受け部を有し、引き戸上端部に引き戸の横幅全長にわたって下方切欠部が形成され、緩衝機構本体の緩衝部が下方切欠部内に収められ、緩衝機構受け具の緩衝受け部が引き戸上端部の下方切欠部内に進入可能とされていることを特徴としている。
【００１６】
第３の発明は、第２の発明において、緩衝機構受け具は、引き戸の停止位置に配置される下方に突出するストッパーと、ストッパーに隣接し、引き戸のスライド方向の後方に配置された案内溝と、案内溝に隣接し、引き戸のスライド方向の後方に配置され、案内溝に近づくにつれ下方に突出する、緩衝受け部としてのスロープ部とを備え、緩衝機構本体では、緩衝機構受け具のスロープ部のスロープ面に接触可能なローラーを先端に備えた緩衝部としてのローラー軸が、下端部に設けられた枢軸を中心として前後方向に揺動自在に配設されるとともに、アブソーバーによって支持され、緩衝機構受け具のストッパーおよびスロープ部が引き戸上端部の下方切欠部内に進入可能とされていることを特徴としている。
【発明の効果】
【００１７】
上記第１の発明によれば、緩衝部を有する緩衝機構本体が、引き戸のスライド方向の後側に位置する後端上部に組み込まれ、緩衝機構本体の緩衝部との接触により引き戸のスライド移動を減速させ、停止させる緩衝機構受け具が、全閉位置となる引き戸の戸尻側にあって緩衝機構本体に対向する位置の鴨居に配設されているため、引き戸をスライドさせる勢いによって緩衝部が緩衝機構受け具に衝突することがあっても、引き戸のスライド方向の前側部分は跳ね上がりにくくなり、確実に引き戸をゆっくりと減速させてスムーズに停止させることができる。
【００１８】
上記第２の発明によれば、上記第１の発明の効果に加え、緩衝機構受け具は、緩衝機構本体の緩衝部に接触可能な下方に突出する緩衝受け部を有し、引き戸上端部に引き戸の横幅全長にわたって下方切欠部が形成され、緩衝機構本体の緩衝部が下方切欠部内に収められ、緩衝機構受け具の緩衝受け部が引き戸上端部の下方切欠部内に進入可能とされているため、緩衝機構本体の緩衝部が鴨居に衝突したり、緩衝機構受け具の緩衝受け部が引き戸上端部に衝突したりすることなく、緩衝部と緩衝受け部とは接触し、引き戸のスライド移動の減速および停止が実現されるとともに、緩衝受け部は、下方切欠部を形成する左右両内側壁により支持可能であるので、鴨居や開口枠などおよび引き戸自体に寸法の狂いがあったり、施工状態が悪かったりなどしても、引き戸が鴨居などから外れることはほとんどなく、転倒のおそれはない。安全性が向上する。
【００１９】
上記第３の発明によれば、上記第２の発明の効果に加え、緩衝機構受け具は、引き戸の停止位置に配置される下方に突出するストッパーと、ストッパーに隣接し、引き戸のスライド方向の後方に配置された案内溝と、案内溝に隣接し、引き戸のスライド方向の後方に配置され、案内溝に近づくにつれ下方に突出する、緩衝受け部としてのスロープ部とを備え、緩衝機構本体では、緩衝機構受け具のスロープ部のスロープ面に接触可能なローラーを先端に備えた緩衝部としてのローラー軸が、下端部に設けられた枢軸を中心として前後方向に揺動自在に配設されるとともに、アブソーバーによって支持されているため、引き戸のスライド移動の減速および停止がより確実に実現される。
【発明を実施するための最良の形態】
【００２０】
図１、図２は、それぞれ、本発明の引き戸における緩衝機構の取付構造の一実施形態を示した要部斜視図、要部側面図である。
【００２１】
図１および図２に示した引き戸における緩衝機構の取付構造では、図４〜図７に示した緩衝機構がそのまま採用されている。すなわち、引き戸１側に緩衝機構本体２が配設され、建物の開口３の上端に取り付けられる鴨居４側に緩衝機構受け具５が配設され、緩衝機構本体２と緩衝機構受け具５とから緩衝機構が構成されている。緩衝機構本体２および緩衝機構受け具５の構成および構造については同様であるので説明を割愛する。
【００２２】
一方、図１および図２に示した引き戸における緩衝機構の取付構造では、引き戸１の上端部が引き戸１の横幅全長にわたって下方に切り欠かれ、引き戸１の上端部に断面略コ字型形状の下方切欠部１５が形成されている。緩衝機構本体２は、引き戸１の戸尻側の縦框１６の上端部に形成された凹所に嵌め込まれ、前後両側に延びるフランジ部１７を縦框１６の上端面に当接させてビスなどの固定具によって固定されている。そして、緩衝機構本体２に備えた、緩衝部としてのローラー軸７が先端のローラー６とともに下方切欠部１５内に収められている。このため、ローラー軸７は鴨居４に衝突することはない。
【００２３】
緩衝機構本体２の緩衝部との接触により引き戸１のスライド移動を減速させ、停止させる緩衝機構受け具５は、引き戸１が開口３を閉め、全閉位置となる引き戸１の停止位置にストッパー１０が配置されるように、すなわち、緩衝機構本体２に対向する位置において、戸袋１８側に位置する鴨居４のレール溝１９に配設されている。レール溝１９は、引き戸１の開閉に際し、引き戸１の上端部をガイドする溝である。緩衝機構受け具５は、レール溝１９から下方に突出しているが、引き戸１の上端部には引き戸１の横幅全長にわたって下方切欠部１５が形成されているので、ストッパー１０およびローラー軸７に接触可能な緩衝受け部としてのスロープ部１２は、引き戸１の上端部に衝突することなく、引き戸１を閉める際には下方切欠部１５内に進入可能となっている。
【００２４】
したがって、図１および図２に示した引き戸における緩衝機構の取付構造では、緩衝機構本体２および緩衝機構受け具５が戸先側ではなく、戸尻側に配設されるので、緩衝機構本体２に備えたローラー６が、引き戸１を閉める勢いによって緩衝機構受け具５のスロープ部１２のスロープ面に衝突することがあっても、図３に示したように、引き戸１の戸先側が跳ね上がりにくくなり、引き戸１のスライド移動の減速および停止が実現される。しかも、ストッパー１０およびスロープ部１２は、下方切欠部１５を形成する、図１に示した左右両内側壁２０により支持可能であるので、鴨居４や開口枠１４などおよび引き戸１自体に寸法の狂いがあったり、施工状態が悪かったりなどしても、引き戸１が鴨居４などから外れることはほとんどなく、転倒のおそれはない。安全性が向上する。緩衝機構本体２および緩衝機構受け具５によって、引き戸１を確実にゆっくりと減速させ、スムーズに停止させることができる。
【００２５】
なお、本発明の引き戸における緩衝機構の取付構造では、緩衝機構本体は、引き戸のスライド方向の後側に位置する後端上部に組み込まれるので、引き戸を開ける場合の戸袋側で引き戸をゆっくりと減速させ、スムーズに停止させる場合には、緩衝機構本体は、引き戸の戸先側の上部に組み込むことができる。この場合、緩衝機構受け具は、引き戸の停止位置に対応して戸袋側において開口近くの鴨居のレール溝などに固定することができる。開け終わる際の引き戸が、ゆっくりと減速され、スムーズに停止され、減速および停止を確実に行うことができ、引き戸の跳ね上がりやそれにともなう引き戸の鴨居などからの外れ、転倒が抑制される。
【図面の簡単な説明】
【００２６】
【図１】本発明の引き戸における緩衝機構の取付構造の一実施形態を示した要部斜視図である。
【図２】図１に示した引き戸における緩衝機構の取付構造の要部側面図である。
【図３】図１に示した引き戸における緩衝機構の取付構造による引き戸が閉まる直前の状態を示した側面図である。
【図４】先に提案した引き戸における緩衝機構の取付構造を例示した要部断面図である。
【図５】＜ａ＞＜ｂ＞は、それぞれ、図４に示した緩衝機構本体を示した正面図、側面図である。
【図６】＜ａ＞＜ｂ＞は、それぞれ、図４に示した緩衝機構受け具を示した側面図、底面図である。
【図７】＜ａ＞＜ｂ＞＜ｃ＞は、それぞれ、緩衝機構の作動状態を示した要部工程側面図である。
【図８】図４に示した引き戸における緩衝機構の取付構造における改善点を示した側面図である。
【符号の説明】
【００２７】
１  引き戸
２  緩衝機構本体
４  鴨居
５  緩衝機構受け具
６  ローラー
７  ローラー軸
８  枢軸
９  アブソーバー
１０  ストッパー
１１  案内溝
１２  スロープ部
１５  下方切欠部
【図１】
0005009710.tif 000002
【図２】
0005009710.tif 000003
【図３】
0005009710.tif 000004
【図４】
0005009710.tif 000005
【図５】
0005009710.tif 000006
【図６】
0005009710.tif 000007
【図７】
0005009710.tif 000008
【図８】
0005009710.tif 000009